(57)【特許請求の範囲】
【請求項１】
光源（２）と、この光源（２）に先端（Ｔ１）側を平面視且つ側面視において向けた刀剣（Ｔ）を観察する観察者（Ｋ）の視線方向に沿って当該刀剣（Ｔ）を撮像した刀剣画像（Ｇ１）内で前記観察者（Ｋ）の視点（Ｓ）が示された視点画像（Ｇ２）を表示する表示部（３）を有していることを特徴とする刀剣観察システム。
【請求項２】
前記刀剣画像（Ｇ１）上に、前記観察者（Ｋ）の視点（Ｓ）を加えて、前記視点画像（Ｇ２）を生成する処理部（１２）を有していることを特徴とする請求項１に記載の刀剣観察システム。
【請求項３】
光源（２）と、この光源（２）に先端（Ｔ１）側を平面視且つ側面視において向けた刀剣（Ｔ）を観察する観察者（Ｋ）の視線方向に沿って当該刀剣（Ｔ）を撮像した刀剣画像（Ｇ１）上に前記観察者（Ｋ）の視点（Ｓ）を加えて前記観察者（Ｋ）の視点（Ｓ）が示された視点画像（Ｇ２）を生成する処理部（１２）を有していることを特徴とする刀剣観察システム。
【請求項４】
前記光源（２）は、ピン光源（２ａ）であり、
前記刀剣（Ｔ）の先端側を前記ピン光源（２ａ）に平面視且つ側面視において向けた際、当該向けた方向視における前記ピン光源（２ａ）の最大寸法が、０．１ｃｍ以上２０．０ｃｍ以下であることを特徴とする請求項１〜３の何れか１項に記載の刀剣観察システム。
【請求項５】
請求項２又は３に記載の刀剣観察システムの処理部（１２）に生成された前記視点画像（Ｇ２）を保存していることを特徴とする記憶媒体。
【請求項６】
請求項２又は３に記載の刀剣観察システムの処理部（１２）に生成された前記視点画像（Ｇ２）をネットワーク（Ｗ）を介して送信、受信、閲覧のうち少なくとも１つを行う手段を有し、
前記視点画像（Ｇ２）内で示された刀剣（Ｔ）が売買対象物（Ｂ）であることを特徴とする売買システム。
【発明の詳細な説明】
【技術分野】
【０００１】
本発明は、刀剣の刃文等を観察する刀剣観察システム、この刀剣観察システムで観察した様子を示す画像等を保存している記録媒体、及び、当該画像等を送受信可能な売買システムに関する。
【背景技術】
【０００２】
従来、日本刀など鏡面性の高い立体物等の高精細画像の取得を可能にする撮像装置が知られている（特許文献１参照）。
この撮像装置は、光源と、前記光源から出射される光束の波長を限定する複数の波長限定手段と、前記波長限定手段を切り替える波長切り替え手段と、前記波長切り替え手段で切り替えられた前記波長限定手段により限定された波長の光束を撮像対象物の所定領域に照射する光束照射手段と、前記光束照射手段からの光束により照射された撮像対象物表面の反射光量分布を所定領域で取得する光量取得手段と、前記光束照射手段及び前記光量取得手段の撮像光学系を前記撮像対象物と平行に移動する撮像光学系移動手段と、前記光束照射手段からの光束照射角度を前記撮像光学系の移動方向を含む面内で可変とする光束照射手段回転手段とを有している。
【先行技術文献】
【特許文献】
【０００３】
【特許文献１】特開２０１０−２６９３７号公報
【発明の概要】
【発明が解決しようとする課題】
【０００４】
しかしながら、特許文献１に記載された撮像装置は、光源以外に、複数の波長限定手段、波長切り替え手段、光束照射手段、光量取得手段、撮像光学系移動手段、光束照射手段回転手段を有しており、非常に複雑な構成となっている。
又、特許文献１の撮像装置は、撮像対象物について複数の波長帯での画像を重ね合わせ（合成）しなくては、高精細画像が取得できないため、画像処理に非常に時間がかかる。
更に、合成された高精細画像であっても、撮像対象物が日本刀などであれば、撮像対象物を見るポイントがわからない者（素人）にとっては、撮像対象物の価値を判断することが出来ない。
【０００５】
本発明は、このような点に鑑み、刀剣の先端側を光源に向けて刀剣の刃文を観察する観察者側から撮像した刀剣画像に観察者の視点が示された視点画像を表示する表示部を有することで、より簡単な構造で且つ短時間での刃文等の観察などを実現する刀剣観察システム、記録媒体、及び、売買システムを提供することを目的とする。
【課題を解決するための手段】
【０００６】
本発明に係る刀剣観察システム１は、光源２と、この光源２に先端Ｔ１側を平面視且つ側面視において向けた刀剣Ｔを観察する観察者Ｋの視線方向に沿って当該刀剣Ｔを撮像した刀剣画像Ｇ１内で前記観察者Ｋの視点Ｓが示された視点画像Ｇ２を表示する表示部３を有していることを第１の特徴とする。
【０００７】
本発明に係る第２の刀剣観察システム１は、上記第１の特徴に加えて、前記刀剣画像Ｇ１上に、前記観察者Ｋの視点Ｓを加えて、前記視点画像Ｇ２を生成する処理部１２を有している点にある。
【０００８】
本発明に係る第３の刀剣観察システム１は、光源２と、この光源２に先端Ｔ１側を平面視且つ側面視において向けた刀剣Ｔを観察する観察者Ｋの視線方向に沿って当該刀剣Ｔを撮像した刀剣画像Ｇ１上に前記観察者Ｋの視点Ｓを加えて前記観察者Ｋの視点Ｓが示された視点画像Ｇ２を生成する処理部１２を有している点にある。
【０００９】
本発明に係る第４の刀剣観察システム１は、上記第１〜３の何れかの特徴に加えて、前記光源２は、ピン光源２ａであり、前記刀剣Ｔの先端側を前記ピン光源２ａに平面視且つ側面視において向けた際、当該向けた方向視における前記ピン光源２ａの最大寸法が、０．１ｃｍ以上２０．０ｃｍ以下である点にある。
【００１１】
これらの特徴により、光源２と、観察者Ｋ側から刀剣Ｔを撮像した刀剣画像Ｇ１内で観察者Ｋの視点Ｓが示された視点画像Ｇ２を表示する表示部３を有することによって、特許文献１のように複雑な構成の撮像装置でなくとも、観察者Ｋは、刀剣Ｔの先端Ｔ１側を光源２に向ける等をするだけで、簡単且つ短時間での刃文Ｈ等の観察が可能となる。
そして、観察者Ｋの視点Ｓが示された視点画像Ｇ２によって、観察者Ｋ以外にもその視点Ｓを示すことが出来るため、刀剣Ｔの価値を判断する際の参考となると共に、仮に観察者Ｋが刀剣Ｔの玄人であれば、日本刀などの刀剣Ｔを見るポイントを素人でも視覚的に確認でき、刀剣Ｔの価値をより正しく伝えることが可能となる。
尚、本発明に係る刀剣観察システム１において、光源２は必須ではなく、表示部３を有するものであれば良いとも言える。
【００１２】
又、光源２の最大寸法を０．１ｃｍ以上２０．０ｃｍ以下とすることによって、太陽光や蛍光灯などの下とは異なり、刀剣Ｔの刃文Ｈが浮かび易くなり、より正確に刀剣Ｔの価値を判断できる。
【００１３】
本発明に係る記憶媒体１００は、上述した刀剣観察システム１の処理部１２に生成された前記視点画像Ｇ２を保存していることを第１の特徴とする。
【００１４】
この特徴により、刀剣観察システムの視点画像Ｇ２を記憶媒体１００に保存することによって、実際に観察者Ｋが観察している場にいなくとも、当該視点画像Ｇ２を視聴した者が、刀剣Ｔを見るポイントを視覚的に確認でき、刀剣Ｔの価値をより幅広く正しく伝えることが可能となる。
尚、本発明における「記録媒体」とは、映像やデジタル情報、アナログ情報を記録・保存するための媒体であって、記録媒体は、何れの構成であっても良いが、例えば、磁気テープ、ＤＤＳ（デジタル・データ・ストレージ）、フロッピー（登録商標）ディスク（ＦＤ）やハードディスクドライブ（ＨＤＤ）等の磁気ディスク、コンパクトディスク（ＣＤをはじめ）や、レーザーディスク（登録商標）（ＬＤ）、デジタルバーサタイルディスク（ＤＶＤ）、ブルーレイディスク（Blue-ray Disc 、ＢＤ）等の光ディスク、ミニディスク（ＭＤ）等の光磁気ディスク、フラッシュディスク（Solid State Drive 、ＳＳＤ）、メモリーカード、ＵＳＢメモリ等のフラッシュメモリなどを含む。
【００１５】
本発明に係る売買システム２００は、上述した刀剣観察システム１の処理部１２に生成された前記視点画像Ｇ２をネットワークＷを介して送信、受信、閲覧のうち少なくとも１つを行う手段を有し、前記視点画像Ｇ２内で示された刀剣Ｔが売買対象物Ｂであることを第１の特徴とする。
【００１６】
この特徴により、刀剣観察システムの視点画像Ｇ２をネットワークＷを介して送信、受信、閲覧のうち少なくとも１つを行い、視点画像Ｇ２内の刀剣Ｔが売買対象物Ｂであることによって、売買対象物Ｂである刀剣Ｔの価値を、買主Ｋ”がより正確に把握した上で購買することが可能となる。
その他、刀剣観察方法として、刀剣Ｔの先端Ｔ１側を光源２に向けて、前記刀剣Ｔの刃文Ｈを観察しても良い。
この刀剣観察方法の場合には、刀剣Ｔの先端Ｔ１側を光源２に向けて刃文Ｈを観察することによって、図１、４、６に示したように、刀剣Ｔに光源２が映り、刀剣Ｔの刃文Ｈ等を観察する観察者Ｋは、この映った光源２における先端Ｔ１側と根元Ｔ３側に刃文Ｈが浮かび、特許文献１のように複雑な撮像装置を用いずとも、簡単且つ短時間での刃文Ｈ等の観察が実現できる。
尚、本発明における「刀剣Ｔの先端Ｔ１側を光源２に向ける」とは、平面視且つ側面視において刀剣Ｔの先端Ｔ１側を光源２に向けた場合だけでなく、平面視のみにおいて刀剣Ｔの先端Ｔ１側を光源２に向けた場合や、側面視のみにおいて刀剣Ｔの先端Ｔ１側を光源２に向けた場合も含む。
【発明の効果】
【００１７】
本発明に係る刀剣観察システム、記録媒体、及び、売買システムによると、刀剣の先端側を光源に向けて刀剣の刃文を観察して、刀剣画像に観察者の視点が示された視点画像を表示する表示部を有することで、より簡単な構造で且つ短時間での刃文等の観察などを実現できる。
【図面の簡単な説明】
【００１８】
【図１】刀剣観察方法の概要を示す図面代用写真である。
【図２】本発明に係る刀剣観察システムを示す概要図であって、（ａ）は刀剣撮像部と瞳撮像部で同時に撮像する場合を示し、（ｂ）は予め撮像された刀剣画像を見る観察者の瞳を瞳撮像部で撮像する場合を示す。
【図３】刀剣観察方法及び刀剣観察システムにより観察される刀剣画像（刀剣の刃文等）を示す拡大図面代用写真である。
【図４】刀剣観察システムにおいて、ピン光源下で刀剣を観察する観察者の視点画像を示す斜視図である。
【図５】刀剣観察システムにおいて、ワイド光源下で刀剣を観察する観察者の視点画像を示す斜視図である。
【図６】刀剣観察システムにおいて、ピン光源下で刀剣を観察する観察者の別の視点画像を示す斜視図である。
【図７】刀剣観察システムにおいて、ワイド光源下で刀剣を観察する観察者の別の視点画像を示す斜視図である。
【図８】本発明に係る記憶媒体、売買システムを示す概要図である。
【発明を実施するための形態】
【００１９】
＜刀剣観察システムの全体構成＞
以下、本発明の実施の形態を図面を参照して説明する。
図１〜７には、本発明に係る刀剣観察システム１が示されており、この刀剣観察システム１は、光源２と表示部３を有していても良い。
【００２０】
尚、本発明における「観察」とは、観察者Ｋが刀剣Ｔを実際に肉眼で見ることを含む他、別の場所で撮像された刀剣Ｔを含む画像Ｇ（刀剣画像Ｇ１や視点画像Ｇ２等）を表示する表示部３を介して観察者Ｋが見ることや、ただ単に見るだけでなく観察者Ｋが肉眼や表示部３を介して刀剣Ｔの価値を判断する鑑賞・鑑定も当然含む。
よって、日本刀などの刀剣Ｔを見るポイントを素人でも視覚的に確認できる視点画像Ｇ２を表示する表示部３があれば可能であり、少なくとも表示部３を有したものを刀剣観察システム１としても良い。
又、刀剣観察システム１は、刀剣Ｔ等を撮像する撮像部１１や、刀剣画像Ｇ１を処理して視点画像Ｇ２を作成する処理部１２、観察者Ｋ等の音声を録音・再生などをする音声部１３を有していても良い。
【００２１】
＜刀剣Ｔ＞
図１〜７に示すように、本発明における刀剣Ｔとは、刀や剣のことであって、刀は片刃の刃物であり、剣は両刃の刃物であるとも言える。
刀剣Ｔは、具体的には、日本刀をはじめ、中国の青竜刀、柳葉刀等の東洋の刀剣、欧米のナイフやダガー、レイピア、サーベル、ソード等の西洋の刀剣などの他、包丁や小刀、剃刀、鋏、手術用等のメス、鉈等の刃物など、何れの構成であっても良い。
【００２２】
刀剣Ｔが日本刀であれば、例えば、大刀、太刀、打刀、合口、脇差、刀子、短刀、薙刀（長刀）などが含まれる。
以下においては、刀剣Ｔは主に日本刀Ｔとして述べる。
【００２３】
＜刀剣Ｔの刃文Ｈ＞
図１、３〜７に示したように、本発明における刀剣Ｔの刃文（刃紋）Ｈは、日本刀などにおいて焼き入れによって刀身Ｔ２に生じた模様であり、後述する地鉄に対して白くみえる刃（焼刃）の形状を表す。
この刃文Ｈは、流派・時代・刀工によって形状が異なるため、それぞれの刀剣（日本刀）Ｔの特徴が遺憾なく発揮され、日本刀等の刀剣Ｔの価値判断や、作者（刀工）の特定、真贋の鑑定等をする場合のポイントとなっている。尚、日本刀Ｔにおいては、切先の刃文Ｈ（帽子）に作者の技量が表れる。
【００２４】
刀剣Ｔの刃文Ｈについて詳解すれば、刃文Ｈは、焼き入れの際に急速冷却されることによって鋼が変化して出来る「沸（にえ）」や「匂（におい）」と呼ばれる細かな粒子で構成される。
沸とは、文様を構成する粒子が粗めで、肉眼で視認できる大きさのものを言い、匂とは、文様を構成する粒子が肉眼での視認が難しくものを言う。
刃文Ｈは、直線的な「直刃（すぐは）」と、曲線的な「乱刃（みだれば）」に大別され、更に、乱れ刃の中に、「互の目（ぐのめ）」や「丁字（ちょうじ）」、「重花丁子（じゅうかちょうじ）」、「湾れ（のたれ）」、「三本杉（さんぼんすぎ）」、「濤乱刃（とうらんば）」などの様々な種類がある。
【００２５】
刀剣である日本刀Ｔは、この他の評価のポイントとして、全体の姿（体配（たいはい））や地鉄（じがね）、刃の中などがある。
体配については、反り具合や、刀身Ｔ２の身幅、厚さ、鋒（きっさき）の形状などに日本刀Ｔの価値判断（時代・作者など）のポイントが表れる。
又、地鉄についても、鍛え肌（きたえはだ）と呼ばれる細かな文様があり、刀身Ｔ２方向へ直線的に延びる「柾目（まさめ）肌」や、木の年輪のような「板目（いため）肌」、更に節が丸い「杢目（もくめ）肌」、規則的に文様が繰り返される「綾杉（あやすぎ）肌」などの種類があり、作者の流派を示しているとも言える。
更に、白くみえる刃の中にも、沸や匂でできた微細な文様（刃中の働き）があり、「足（あし）」、「葉（よう）」、「砂流（すななが）し」、「金筋（きんすじ）」、「稲妻（いなずま）」、「喰違刃（くいちがいば）」、「二重刃（にじゅうば）」、「打（うち）のけ」などの種類がある。
そして、日本刀Ｔは、日本刀Ｔにおいて柄に入る部分である「茎（なかご）」や、日本刀Ｔの先端Ｔ１側にある「帽子（ぼうし）」、「疵（きず）」の度合なども評価のポイントである。
【００２６】
＜観察者Ｋ＞
図１、２に示すように、本発明における観察者Ｋとは、刀剣Ｔを観察する者である。
刀剣Ｔを観察する者であれば、特に限定はなく、刀剣が日本刀Ｔであれば、上述の刃文Ｈや体配、地鉄、刃中の働きなどの価値判断ポイントを理解した玄人や、これらの価値判断ポイントを理解していない素人など、何れの者も含む。
又、観察者Ｋには、刀剣Ｔを直接肉眼で観察する者だけでなく、後述する表示部３により表示された刀剣画像Ｇ１や視点画像Ｇ２を介して、刀剣Ｔを観察する者も含まれる。
【００２７】
＜光源２＞
図１、２に示されたように、光源２は、光を発するものであって、刀剣Ｔを照らせるのであれば、何れの構成でも良いが、例えば、以下に示すピン光源２ａや、このピン光源２ａよりも広い範囲を照らすワイド光源２ｂであっても良い。
【００２８】
＜ピン光源２ａ＞
図１や図２（ａ）に示すように、ピン光源２ａは、所定の範囲を照らす光源２であって、例えば、裸電球や蝋燭の火、電球状のＬＥＤ照明などであっても構わない。
ピン光源２ａの大きさ・形状は、特に限定はなく、例えば、略球状や略円盤状、略直方体状であっても良い。
【００２９】
ピン光源２ａ（光源２）の最大寸法が、０．１ｃｍ以上２０．０ｃｍ以下、好ましくは０．３ｃｍ以上１５．０ｃｍ以下、更に好ましくは０．５ｃｍ以上１０．０ｃｍ以下であっても良い。
このように、光源２の最大寸法を０．１ｃｍ以上２０．０ｃｍ以下等とすることによって、太陽光や蛍光灯などの下とは異なり、刀剣Ｔの刃文Ｈが浮かび易くなり、より正確に刀剣Ｔの価値を判断できる。
尚、本発明における「光源２の最大寸法」とは、光源２における刀剣Ｔの刀身Ｔ２方向視（刀剣Ｔを持つ観察者Ｋが刀身Ｔ２の方向から視た時（いわば正面視）の）最大寸法であり、例えば、光源２が略球状であれば、その直径を言う。
【００３０】
図１、４、６に示した如く、このようなピン光源２ａで刀剣Ｔを照らせば、後述するワイド光源２ｂの下とは異なり、刀剣Ｔの刃文Ｈが浮かび易くなり、より正確に刀剣Ｔの価値を判断できる。
又、このピン光源２ａの場合には、刀剣Ｔの先端Ｔ１側をピン光源２ａ（光源２）に向けて、刀剣Ｔの刃文Ｈ等を観察することによって、図１、４、６に示したように、刀剣Ｔに光源２が映り、刀剣Ｔを観察する観察者Ｋは、この映った光源２における先端Ｔ１側と根元Ｔ３側に刃文Ｈ等が浮かび、簡単且つ短時間での刃文Ｈ等の観察が実現できる。
【００３１】
尚、本発明における「刀剣Ｔの先端Ｔ１側を光源２に向ける」とは、観察される刀剣Ｔの平面視（刀剣Ｔを上方から視たケース）且つ側面視（刀剣Ｔの刀身Ｔ２方向と略直交する方向から視たケース）において刀剣Ｔの先端Ｔ１側を光源２に向けた場合だけでない。
本発明の「刀剣Ｔの先端Ｔ１側を光源２に向ける」とは、この他、刀剣Ｔの平面視のみにおいて刀剣Ｔの先端Ｔ１側を光源２に向けた場合や、刀剣Ｔの側面視のみにおいて刀剣Ｔの先端Ｔ１側を光源２に向けた場合も含む。
【００３２】
＜ワイド光源２ｂ＞
図２（ａ）に示されたように、ワイド光源２ｂは、上述したピン光源２ａ以外の構成であって、例えば、蛍光灯や、蛍光灯状のＬＥＤ照明などであったり、太陽光であっても良い。
ワイド光源２ｂの大きさ・形状も、特に限定はなく、例えば、ワイド光源２ｂ（光源２）の直径は、２０．０ｃｍ以上であっても良い。
図５、７に示した如く、このようなワイド光源２ｂで刀剣Ｔを照らしても、上述したピン光源２ａの下とは異なって、刀剣Ｔ全体の体配等の把握がし易くなる。
【００３３】
＜表示部３＞
図２、４〜７に示すように、表示部３は、観察者Ｋの視点（視線）Ｓが示された視点画像Ｇ２を表示するものであって、その構成に限定はないが、例えば、動画又は静止画を表示可能なブラウン管（ＣＲＴ）や液晶ディスプレイ、プラズマディスプレイ、有機ＥＬディスプレイなどでも良い。
表示部３は、視点画像Ｇ２を少なくとも表示できるのであれば、その他の画像（刀剣画像Ｇ１など）を表示しても良い。
【００３４】
表示部３は、画像Ｇ以外にも、刀剣観察システム１で観察者Ｋが行えるメニューを表示したり、観察される刀剣Ｔの流派・時代・作者や、刃文Ｈや体配、地鉄、刃中の働きなどの価値判断ポイントの特徴を表示する構成としても良い。
又、表示部３は、タッチパネル（タッチボタン）で構成されていても良く、表示部３のタッチボタンを操作することによって、刀剣Ｔの流派・時代・作者や、刃文Ｈや体配、地鉄、刃中の働きなどの価値判断ポイントを入力したり、観察者Ｋの音声（解説）や音楽を再生したり、ＴＶ視聴などを制御する構成であっても良い。
【００３５】
＜視点画像Ｇ２、視点Ｓ＞
図４〜７に示されたように、視点画像Ｇ２は、観察者Ｋ側から刀剣Ｔを撮像した後述の刀剣画像Ｇ１内で観察者Ｋの視点Ｓが示された画像であって、静止画・動画、何れでも良い。
この視点画像Ｇ２内における視点Ｓは、観察者Ｋが刀剣Ｔ（刀剣画像Ｇ１）の何処を見ているかを示すものであって、刀剣画像Ｇ１において、観察者Ｋが見ている場所（位置）を表すのであれば、どのような構成でも良い。
【００３６】
視点Ｓは、例えば、×（バツ）印（図４、５参照）で表すマークＭであったり、スコープ状の印（図６、７参照）であったり、ただの○（まる）印や、＋（じゅうじ）印等のマークＭによって、刀剣画像Ｇ１内で示されていても良い。
又、視点Ｓは、当該視点Ｓが直前の所定時間内に動いた軌跡Ｍ’も表示する構成でも良い（図４、５参照）。
【００３７】
ここまで述べたように、少なくとも観察者Ｋ側から刀剣Ｔを撮像した刀剣画像Ｇ１内で観察者Ｋの視点Ｓが示された視点画像Ｇ２を表示する表示部３を有することによって、複雑な構成の撮像装置でなくとも、観察者Ｋは、刀剣Ｔの先端Ｔ１側を光源２に向ける等をするだけで、簡単且つ短時間での刃文Ｈ等の観察が可能となる。
そして、観察者Ｋの視点Ｓが示された視点画像Ｇ２によって、観察者Ｋ以外にもその視点Ｓを示すことが出来るため、刀剣Ｔの価値を判断する際の参考となると共に、仮に観察者Ｋが刀剣Ｔの玄人であれば、日本刀などの刀剣Ｔを見るポイントを素人でも視覚的に確認でき、刀剣Ｔの価値をより正しく伝えることが可能となる。
【００３８】
＜撮像部１１（刀剣撮像部１１ａ）＞
図２（ａ）に示したように、撮像部１１は、刀剣Ｔを観察する観察者Ｋ側から当該刀剣Ｔを撮像するものであって、この場合には、刀剣撮像部１１ａであるとも言える。
刀剣撮像部１１ａの構成に限定はないが、例えば、動画又は静止画を撮像可能なカメラなどでも良い。
この刀剣撮像部１１ａは、観察者Ｋ側から刀剣Ｔを撮像できるのであれば、何れに設けられていても良いが、例えば、観察者Ｋ自身に取り付けられていたり、観察者Ｋの傍らや背後などの刀剣Ｔより観察者Ｋに近い側で三脚により設置されていたり、刀剣観察システム１が設置されている室内の天井や壁等に備え付けられていたり、観察者Ｋとは別の撮像者の手で持たれる等でも良い。
【００３９】
特に、刀剣撮像部１１ａが観察者Ｋ自身に取り付けられている場合でも、その構成に限定はないが、例えば、眼鏡型やゴーグル型、ヘルメット型等の装着物（ウェアラブル端末）の何れか（側部や上部など）に刀剣撮像部１１ａが取り付けられていても良い。
尚、刀剣撮像部１１ａは、外部と、有線か無線の何れかで通信可能であっても良く、無線で通信する場合には、刀剣撮像部１１ａはバッテリ駆動としても構わない。
【００４０】
＜刀剣画像Ｇ１＞
図４〜７に示されたように、刀剣画像Ｇ１は、上述の撮像部１１（刀剣撮像部１１ａ）で撮像された刀剣Ｔの画像であって、静止画・動画、何れでも良い。
この視点画像Ｇ２に観察者Ｋの視点Ｓを示して（加えて）、視点画像Ｇ２とするには、観察者Ｋの視点Ｓが何処にあるか（つまり、観察者Ｋの瞳Ｓ’の向き）を撮像するため、上述の撮像部１１は、瞳Ｓ’を撮像する瞳撮像部１１ｂを有していても良い。
【００４１】
＜撮像部１１（瞳撮像部１１ｂ）＞
図２（ａ）、（ｂ）に示されたように、撮像部１１（瞳撮像部１１ｂ）は、刀剣Ｔを観察する観察者Ｋの瞳Ｓ’を撮像するものであり、瞳撮像部１１ｂの構成に限定はないが、例えば、動画又は静止画を撮像可能なカメラなどでも良い。
瞳撮像部１１ｂも、刀剣撮像部１１ａと同様に、観察者Ｋの瞳Ｓ’を撮像できるのであれば、何れに設けられていても良いが、例えば、観察者Ｋ自身への取付けや、三脚による設置、刀剣観察システム１が設置されている室内の天井や壁等への備付け、別の撮像者の手持ち等でも良い。
【００４２】
図２（ａ）に示すように、瞳撮像部１１ｂが観察者Ｋ自身に取り付けられている場合も、刀剣撮像部１１ａと同様に、その構成に限定はないが、例えば、眼鏡型やゴーグル型、ヘルメット型等の装着物（ウェアラブル端末）の何れか（側部や上部など）に瞳撮像部１１ｂが取り付けられても良く、外部とは有線か無線の何れかで通信可能であったり、無線通信の場合は、瞳撮像部１１ｂもバッテリ駆動としても構わない。
その他、観察者Ｋ自身に取り付けられた撮像部１１が、刀剣撮像部１１ａと瞳撮像部１１ｂを両方有している場合には、刀剣Ｔを撮像しつつ、当該刀剣Ｔを見ている観察者Ｋの視界を遮らずに瞳Ｓ’も撮像する必要がある。
このような場合には、視界を妨げないため、観察者Ｋがハーフミラー１１ｃ越しに刀剣Ｔを見る構成としても良い。
【００４３】
一方、図２（ｂ）に示すように、撮像部１１は、瞳撮像部１１ｂだけを有していても良い。
この場合、刀剣画像Ｇ１は、別の場所、及び／又は、別のタイミングで予め撮像しておき、この撮像された刀剣画像Ｇ１を見る観察者Ｋの瞳Ｓ’を、瞳撮像部１１ｂが撮像することとなる。
【００４４】
このとき、瞳撮像部１１ｂは、観察者Ｋの瞳Ｓ’を撮像できるのであれば、刀剣画像Ｇ１を表示する表示装置（ディスプレイ等）に取り付ける他、三脚による設置、刀剣観察システム１が設置されている室内の天井や壁等への備付け、別の撮像者の手持ち等、何れに設けられていても良い。
又、撮像部１１は、ここまで述べた瞳撮像部１１ｂと、上述した刀剣撮像部１１ａのうち少なくとも何れか一方を有していても良く、刀剣撮像部１１ａのみを有する場合は、刀剣観察システム１外の装置で、刀剣画像Ｇ１に観察者Ｋの視点Ｓを加えることとなる。
【００４５】
＜処理部１２＞
図２（ａ）、（ｂ）に示すように、処理部１２は、瞳撮像部１１ｂが撮像した観察者Ｋの瞳Ｓ’の位置・動きから、刀剣画像Ｇ１において、観察者Ｋは何処を見ているか（観察者Ｋの視点Ｓは何処にあるか）を計算し、この計算結果に基づき、刀剣画像Ｇ１上に視点ＳのマークＭを示して（加えて）、視点画像Ｇ２を生成する。
処理部１２は、視点Ｓが直前の所定時間内に動いた軌跡Ｍ’を表示する際にも、この軌跡Ｍ’の計算や、刀剣画像Ｇ１上に軌跡Ｍ’を示す（加える）ことを行っても良い。
又、処理部１２は、刀剣観察システム１外に設けられていても良い。
【００４６】
＜音声部１３＞
図２（ａ）に示すように、音声部１３は、刀剣Ｔの観察者Ｋ自身の音声や、刀剣画像Ｇ１又は視点画像Ｇ２を見ている実際の観察者Ｋ以外の者の音声などを、集音・録音・再生等するものである。
音声部１３は、観察者Ｋ等の音声を拾うマイク１３ａと、拾った観察者Ｋ等の音声をスピーカ１３ｂを備えている。
【００４７】
音声部１３は、刀剣観察システム１外の装置で予め録音しておいた音声等を、スピーカ１３ｂで再生する構成であっても良い。
又、音声部１３そのものが、刀剣観察システム１に設けられていなくても良い。
【００４８】
＜刀剣観察方法＞
刀剣観察方法は、ここまで述べた刀剣観察システム１を使用することを含む。
詳解すれば、上述の刀剣観察システム１を使用する際、観察する刀剣Ｔの先端Ｔ１側を光源２に向けて、刀剣Ｔの刃文Ｈを観察することとなる。
【００４９】
又、図１に示すように、上述した刀剣観察システム１における表示部３を用いなくとも、刀剣Ｔの先端Ｔ１側を光源２に向けて、前記刀剣Ｔの刃文Ｈを観察するのであれば、刀剣観察方法に含まれる。
このような刀剣観察方法によって、刀剣Ｔに光源２が映り、刀剣Ｔの刃文Ｈ等を観察する観察者Ｋは、この映った光源２における先端Ｔ１側と根元Ｔ３側に刃文Ｈが浮かび、特許文献１のように複雑な撮像装置を用いずとも、簡単且つ短時間での刃文Ｈ等の観察が実現できる。
【００５０】
＜記憶媒体１００＞
図８には、本発明に係る記憶媒体１００が示されている。
この記憶媒体１００は、上述した刀剣観察システム１における視点画像Ｇ２を保存している。
又、記憶媒体１００は、視点画像Ｇ２だけでなく、視点画像Ｇ２以外の画像Ｇ（動画、静止画等を含む）や、上述した音声部１３等によって録音された観察者Ｋ等の音声などの電子ファイル（コンテンツ）も保存されていても良い。
【００５１】
この特徴を持った記憶媒体１００により、刀剣観察システムの視点画像Ｇ２や観察者Ｋ等の音声を記憶媒体１００に保存することによって、実際に観察者Ｋが観察している場にいなくとも、当該視点画像Ｇ２を視聴した者が、刀剣Ｔを見るポイントを視覚的に確認でき、刀剣Ｔの価値をより幅広く正しく伝えることが可能となる。
尚、本発明における「記録媒体」とは、映像やデジタル情報、アナログ情報を記録・保存するための媒体であって、記録媒体は、何れの構成であっても良いが、例えば、磁気テープ、ＤＤＳ（デジタル・データ・ストレージ）、フロッピー（登録商標）ディスク（ＦＤ）やハードディスクドライブ（ＨＤＤ）等の磁気ディスク、コンパクトディスク（ＣＤをはじめ）や、レーザーディスク（登録商標）（ＬＤ）、デジタルバーサタイルディスク（ＤＶＤ）、ブルーレイディスク（Blue-ray Disc 、ＢＤ）等の光ディスク、ミニディスク（ＭＤ）等の光磁気ディスク、フラッシュディスク（Solid State Drive 、ＳＳＤ）、メモリーカード、ＵＳＢメモリ等のフラッシュメモリなどを含む。
【００５２】
＜売買システム２００＞
図８には、本発明に係る売買システム２００も示されている。
この売買システム２００は、上述した刀剣観察システム１における視点画像Ｇ２をネットワークＷを介して送信、受信、閲覧のうち少なくとも１つを行い、前記視点画像Ｇ２内で示された刀剣Ｔが売買対象物Ｂである。
【００５３】
つまり、売買システム２００は、視点画像Ｇ２を送信、受信、閲覧のうち少なくとも１つが可能なように（送信可能、受信可能及び／又は閲覧可能に）ネットワークＷに接続されている。
又、売買システム２００も、視点画像Ｇ２だけでなく、上述した音声部１３などによって録音された観察者Ｋ等の音声を送信可能、受信可能及び／又は閲覧可能にネットワークＷに接続されていても良い。
【００５４】
＜ネットワークＷ＞
尚、本発明における「ネットワークＷ」とは、個々のコンピュータネットワーク（ローカルエリアネットワーク（ＬＡＮ））を接続して、データのやりとりにＴＣＰ／ＩＰというプロトコルを用いて、世界的規模で通信サービスを行えるようにしたローカルエリアネットワーク（ＬＡＮ）の集合体である「インターネット」（オープンネットワーク）をはじめ、各「ローカルエリアネットワーク（ＬＡＮ）」や、「メトロポリタンエリアネットワーク（ＭＡＮ）」、「ワイドエリアネットワーク（ＷＡＮ）」など、何れのコンピュータネットワークであっても構わない。
本発明における「ローカルエリアネットワーク（ＬＡＮ）」とは、ＪＩＳ−Ｘ−０００９：１９９７で規定された「利用者の構内に設置され、地理的に限られた範囲のコンピュータネットワーク」を言い、クローズドネットワークであるとも言える。
本発明における「メトロポリタンエリアネットワーク（ＭＡＮ）」も、ＪＩＳ−Ｘ−０００９：１９９７で規定された「同じ都市内のローカルエリアネットワークを接続するための網」を言い、本発明における「ワイドエリアネットワーク（ＷＡＮ）」は、ＪＩＳ−Ｘ−０００９：１９９７の規定による「ローカルエリアネットワーク又はメトロポリタンネットワークよりも広域に通信サービスを提供するネットワーク」を言う。
又、本発明においては、Ｗｉ−Ｆｉ（登録商標の少なくとも一部）や、Ｂｌｕｅｔｏｏｔｈ（登録商標）などの無線通信手法も含め「ＬＡＮ」として扱う。
【００５５】
この他、ネットワークＷを介して送信、受信、閲覧のうち少なくとも１つを行う売買システム２００は、上述した視点画像Ｇ２や音声をネットワークＷ上に置いていても良い。
このために、ネットワークＷには、売買対象物Ｂの売主Ｋ’（売主Ｋ’も、当然、刀剣Ｔを観察しているため、観察者Ｋであるとも言える）が事前にアップロードしたり、提供される視点画像Ｇ２や音声を置くためのアプリケーションサーバ（クラウドサーバ）２０１が設けられており、このアプリケーションサーバ２０１（アプリケーションサーバ２０１中の記憶媒体１００等）に、表示部３や刀剣観察システム１全体がネットワークＷを介して接続されている。
【００５６】
尚、本発明における「サーバ」とは、ＪＩＳ−Ｘ−０００９：１９９７で規定された「データ網を介して、ワークステーション、その他の機能装置に共有サービスを提供する機能装置」を言う。
又、ネットワークＷ上に様々な視点画像Ｇ２や音声をアプリケーションサーバ（クラウドサーバ）２０１が設けられていることから、売買システム２００は、ネットワークＷ上に視点画像Ｇ２や音声を置いたままで、買主Ｋ”（買主Ｋ”も、当然、刀剣Ｔを観察しているため、観察者Ｋであるとも言える）に、視点画像Ｇ２や音声を提示させることが可能となる。
従って、買主Ｋ”は、場所・時間を問わず、売買対象物Ｂである刀剣Ｔに関して、提示される視点画像Ｇ２や音声を選択することが出来、買主Ｋ”は、より正確に売買対象物Ｂである刀剣Ｔの価値を把握できる。
【００５７】
＜売買対象物Ｂ＞
尚、本発明における売買対象物Ｂとは、視点画像Ｇ２内の刀剣Ｔであって、この刀剣Ｔを売りたい売主Ｋ’と、この刀剣Ｔを買いたい買主Ｋ”との間で売買されるものである。
【００５８】
ここで、売買システム２００が、ネットワークＷ上に視点画像Ｇ２等を置いたままで、選択した視点画像Ｇ２等を買主Ｋ”に提示するシステムであることを鑑みれば、この視点画像Ｇ２等を「共用の構成可能なコンピュータリソース」とみることが出来、本発明は、「クラウドコンピューティング」システムであると言える。
尚、本発明における「クラウドコンピューティング」システムとは、米国国立標準技術研究所（ＮＩＳＴ）による定義から、「共用の構成可能なコンピューティングリソース（ネットワーク、サーバ、ストレージ、アプリケーション、サービス）の集積に、どこからでも、簡便に、必要に応じて、ネットワーク経由でアクセスすることを可能とするモデルであり、最小限の利用手続きまたはサービスプロバイダとのやりとりで速やかに割当てられ提供される（翻訳は、独立行政法人情報処理推進機構（ＩＰＡ））」システムを言う。
【００５９】
従って、売買システム２００によって、刀剣観察システム１の視点画像Ｇ２等をネットワークＷを介して送信、受信、閲覧のうち少なくとも１つを行い、視点画像Ｇ２内の刀剣Ｔが売買対象物Ｂであることによって、売買対象物Ｂである刀剣Ｔの価値を、買主Ｋ”がより正確に把握した上で購買することが可能となる。
尚、本発明における「送信」とは、視点画像Ｇ２等の画像Ｇ（動画、静止画等を含む）や音声などの電子ファイル（コンテンツ）を、ユーザ（売主Ｋ’など）の端末から、他のユーザ（買主Ｋ”など）の端末へ、電子メールなどネットワークＷを介して送る等の他、売主Ｋ’などのユーザ端末からアプリケーションサーバ（クラウドサーバ）２０１へアップロードすることも含まれる。
又、本発明における「受信」とは、視点画像Ｇ２等の画像Ｇ、音声などの電子ファイル（コンテンツ）を、売主Ｋ’などのユーザ端末から、買主Ｋ”などのユーザ端末が、電子メールなどネットワークＷを介して受け取る等の他、買主Ｋ”などのユーザ端末が、アプリケーションサーバ（クラウドサーバ）２０１からダウンロードすることも含まれる。
更に、本発明における「閲覧」とは、アプリケーションサーバ（クラウドサーバ）２０１にアップロードされた（置かれた）視点画像Ｇ２等の画像Ｇや音声などの電子ファイル（コンテンツ）を送信又は受信することなく（電子ファイル自体はアプリケーションサーバ２０１上に置いたままで）、売主Ｋ’、買主Ｋ”などのユーザ端末で、視点画像Ｇ２等の画像Ｇや音声などの電子ファイルを視聴することを言う。
【００６０】
＜その他＞
本発明は、前述した実施形態に限定されるものではない。刀剣観察方法、刀剣観察システム１、記録媒体１００、売買システム２００等の各構成又は全体の構造、形状、寸法などは、本発明の趣旨に沿って適宜変更することが出来る。
【００６１】
刀剣観察システム１は、光源２、表示部３の他、撮像部１１、処理部１２、音声部１３を有しても良いが、上述したように、日本刀などの刀剣Ｔを見るポイントを素人でも視覚的に確認できる視点画像Ｇ２を表示する表示部３があれば、本発明における「観察（鑑賞・鑑定を含む）」は可能であることから、撮像部１１、処理部１２、音声部１３を有さず、表示部３や光源２を有したものでも構わない。
一方、刀剣観察システム１は、撮像部１１、処理部１２、音声部１３が、眼鏡型やゴーグル型、ヘルメット型等の装着物（ウェアラブル端末）として一体となったものを有していても良い。
光源２としては、ピン光源２ａとワイド光源２ｂの２種類のうち、何れか一方だけを備えていても良いし、両方同時に備えていても良い。
【産業上の利用可能性】
【００６２】
本発明に係る刀剣観察システム、記録媒体、及び、売買システムは、日本刀だけに限定されず、中国の青竜刀、柳葉刀等の東洋の刀剣や、欧米のナイフやダガー、レイピア、サーベル、ソード等の西洋の刀剣などの他、包丁や小刀、剃刀、鋏、手術用等のメス、鉈など、何れの刃物に対しても利用可能である。
又、刀剣観察システムや記憶媒体は、日本刀の刀剣を展示する美術館等においても利用可能である。
【符号の説明】
【００６３】
１      刀剣観察システム
２      光源
３      表示部
１００  記憶媒体
２００  売買システム
Ｔ      刀剣
Ｔ１    刀剣の先端
Ｔ２    刀剣の刀身
Ｈ      刀剣の刃文
Ｋ      観察者
Ｓ      観察者の視点
Ｇ１    刀剣画像
Ｇ２    視点画像
Ｗ      ネットワーク
Ｂ      売買対象物
【図１】
0006584264.tif 000002
【図２】
0006584264.tif 000003
【図３】
0006584264.tif 000004
【図４】
0006584264.tif 000005
【図５】
0006584264.tif 000006
【図６】
0006584264.tif 000007
【図７】
0006584264.tif 000008
【図８】
0006584264.tif 000009